(57)【特許請求の範囲】
【請求項１】
切符の情報を読み取る複数の構内改札システムと、該複数の構内改札システムを統括管理する統括管理装置とを、通信ネットワークを介して連係するとともに、切符予約サービスシステムを含むインターネットサービスを前記通信ネットワークに接続しており、切符の情報を電子データ（切符データ）として格納して仮想切符とした携帯通信端末を用いる自動改札システムにおいて、
前記構内改札システムは、切符情報の内容の正しさを検査する切符情報検査部と前記携帯通信端末との間で切符情報を送受信する通信手段とを有する複数の自動改札装置と、該構内の複数の自動改札装置を管理する管理装置とから構成され、
前記切符予約サービスシステムは、インターネットサービスを介して前記携帯通信端末との間で切符情報を送受信し、前記携帯通信端末との間で受け渡した切符情報を前記通信ネットワークを介して前記統括管理装置へ通知するシステムであり、
前記携帯通信端末は、前記切符予約サービスシステムとの間で通信する機能と、前記自動改札装置との間で通信する機能とを有しており、前記切符予約サービスシステムから切符予約情報を受信すると切符データを格納して仮想切符とし、
前記自動改札装置は利用者の接近を検出するセンサを備えており、当該自動改札装置の前記センサが作動して当該自動改札装置がその無線通信手段により前記携帯通信端末に対して仮想切符情報の呼び出しを行なうと、
前記切符予約サービスシステムから切符情報を電子データとして取得した前記携帯通信端末が、前記自動改札装置との間で通信することによって、前記携帯通信端末は、予め前記切符予約サービスシステムから切符情報を含む仮想切符を受信して格納している場合には、当該携帯通信端末のＩＤを含む仮想切符情報を前記自動改札装置に送信し、切符の予約をしていない場合には、切符情報を空にした当該携帯通信端末のＩＤを含む切符データを前記自動改札装置に送信して、
前記携帯通信端末から切符データを受信した前記自動改札装置は、前記統括管理装置から受信した情報と当該携帯通信端末のＩＤに基づいて資格検証を行い、資格を有している場合には通過可能とし、前記切符情報が空であれば切符情報を作成して前記携帯通信端末および前記統括管理装置に送信して、自動改札装置を通過可能とすることを特徴とする自動改札システム。
【請求項２】
前記構内改札システムを構成する前記自動改札装置の切符情報検出手段が、Ｂｌｕｅｔｏｏｔｈ等による無線通信によって得た前記携帯通信端末からの切符情報または当該自動改札装置の切符投入口に投入された物理的な切符から得た切符情報の内容の正しさを検査する手段を有していることを特徴とする請求項１に記載の自動改札システム。
【請求項３】
前記携帯通信端末が、Ｂｌｕｅｔｏｏｔｈ等の無線通信手段を備えた携帯電話機やＰＨＳ、ＰＤＡ（携帯情報端末）等であり、前記自動改札装置との間で、Ｂｌｕｅｔｏｏｔｈ等による無線通信を行う携帯通信端末であることを特徴とする請求項１に記載の自動改札システム。
【請求項４】
切符情報を、少なくとも前記構内改札システムまたは前記携帯通信端末のいずれかに保持していることを特徴とする請求項１ないし請求項３のいずれか１項に記載の自動改札システム。
【請求項５】
請求項１に記載の自動改札システムを構成する自動改札装置であって、物理的切符から切符情報を読み取る切符情報読取手段と、当該自動改札システムを構成する携帯通信端末との間で切符情報および／または携帯通信端末ＩＤを送受信する通信手段と、仮想切符情報に含まれる切符情報および／または携帯通信端末ＩＤの内容の正しさを検査する切符情報監査手段と、読み取った切符情報を表示する表示手段と、切符情報および／または携帯通信端末ＩＤの内容が正しいときに通行を可能とする自動改札機通行閉鎖手段とを有することを特徴とする自動改札装置。
【請求項６】
前記通信手段が、Ｂｌｕｅｔｏｏｔｈ等の無線通信手段であることを特徴とする請求項５に記載の自動改札装置。
【発明の詳細な説明】
【０００１】
【発明の属する技術分野】
本発明は、電子的な仮想切符情報を所有する携帯通信端末または物理的な切符の内容によって、閉鎖された空間への入出場を制御する自動改札システムおよびこの自動改札システムを構成する自動改札装置ならびに自動改札装置を通過可能とする携帯通信端末に関する。
【０００２】
【従来の技術】
駅構内やイベント会場などの閉鎖された空間への入出場を制御する自動改札システムは、チケットや切符の有り無し或いは予約済みなどの内容を判断して、入出場を制御している。
【０００３】
鉄道の駅における従来の自動改札システムの構成の例を、図９を用いて説明する。一般的に自動改札システムは、複数の構内改札システム１間をＷＡＮや専用線等の通信ネットワーク５で接続するとともに、通信ネットワーク５を介して統括管理装置３に接続されて構成される。それぞれの構内改札システム１は、みどりの窓口の情報機器や券売機や精算機その他の駅管理システムを含む駅管理装置１１と、自動改札装置１３’等をＬＡＮ１５や専用線で接続して管理している。
【０００４】
一方、携帯電話機のサービス機能も多様化しｉモードサービス等を含むインターネットサービス７により切符予約サービス７１等が提供される。利用者は、携帯電話機７３’を使用し、プロバイダー７２と専用ネットワーク７４を経由して切符予約サービス７１を利用することができる。
【０００５】
しかしながら、駅のサービスネットワークと、携帯電話機のサービスネットワークとは、それぞれ独立して運用されており、情報をネットワークを介して相互に直接交換することができない。
【０００６】
図１０を用いて、従来の自動改札システムを構成する構内改札システム１の構成の概略を説明する。
【０００７】
構内改札システム１は、駅構内への入出場を制御するシステムであり、駅管理装置１１と複数の自動改札装置１３’をＬＡＮ１５や専用線で接続して構成される。
【０００８】
駅管理装置１１は、切符情報検査部１３３の内容によりデータ書き込みやチェックを行うデータ書込／チェック制御装置１１１’、駅員詰所兼監視所兼精算所１１２などからなる駅管理装置１１とから構成される。
【０００９】
自動改札装置１３’は、人の接近または進入を検出するセンサー１３０、切符投入口１３１、切符受取部１３２、切符情報検査部１３３、自動改札機通行閉鎖板１３４、表示盤１３５とを備えて構成される。
【００１０】
自動改札装置１３’が複数台設置されて自動改札口を構成する。
【００１１】
このような構成を有する従来の自動改札システムを利用する場合に、利用者が切符を購入した後、駅構内に入場してから出場するまでの代表的な流れを簡単に説明する。利用者は、駅構内に入る前に目的地までの切符を購入し、自動改札装置１３’に切符を通すことにより検札を受ける。下車する場合も自動改札装置１３’に切符を通すことにより、乗越し等の料金不足や切符の期限切れなどがないかなどの検査が行なわれる。
【００１２】
通常切符を購入すると、切符に、購入駅（出発駅）と料金（到着駅）、購入年月日他が記憶されたり捺印や印字されて、出札される。この切符を駅構内に入るために自動改札装置１３’の切符投入口１３１に投入すると、切符情報検査部１３３により切符に記憶された駅名と今改札を通している駅名、通過時刻、期限等必要項目がチェックされ、切符が有効または正しければ自動改札装置１３’の自動改札機通行閉鎖板１３４が閉じること無く改札を通り、駅構内に入場することができる。
【００１３】
駅構内から出場する場合は、切符情報検査部１３３により、切符に記憶された料金と記憶された駅名から今改札を通過している駅までの料金、記憶された購入年月日時刻と今改札を通して自動改札機が認識している年月日時刻他が有効か、正しいか等必要項目がチェックされる。切符が有効または正しければ自動改札装置１３’の自動改札機通行閉鎖板１３４が閉じること無く改札を通り、駅構内から外に出ることができる。
【００１４】
駅構内への入出場の際、料金不足や定期の期限切れ、不正利用や機械による誤検出等があると、自動改札機通行閉鎖板１３４が閉じ通過できない。この場合切符を通した本人を始め、改札機内の後ろに並んだ利用者全員がいったん改札機外に戻り、本人が再度検札するかまたは別の改札機で検札するか、精算機で料金不足等を是正しなければならない。また乗り換えなどがある場合は、駅員詰所兼監視所兼精算所１１２で乗り換えのための切符購入や、乗り越し分の清算等を行わなければならず、予定した電車への乗り遅れや待ち合わせに遅れる等の不便が生じ、利用者は大変不便を強いられる。
【００１５】
他方、近年、携帯電話機の所有人口が増え、多様なサービスが提供されている。切符の購入においてもｉモード（ＮＴＴＤｏＣｏＭｏが９９年２月に始めた携帯電話機を対象にした文字情報サービス）等を利用したサービスが考えられており、切符レス、キャッシュレスで携帯電話機が財布代わりになろうとしている。しかし、携帯電話機等のサービスと駅のサービスは互いに連係しておらず独立して運用されており、既存の自動改札システムにおいては未だｉモードなどの切符予約サービスに直接対応する機能が設けられていないので、ｉモードサービスで携帯切符などを購入した切符レスの人がそのまま自動改札機を通過しようとしても、自動改札機が閉じ通過できない。また、現在の自動改札機では、携帯電話機に購入した切符レス・携帯切符情報を表示したとしても画面確認や認識が困難であり、携帯電話機による切符レスシステムを使用できない不便があった。
【００１６】
すなわち、現在の自動改札システムは物理的切符に対応しているので、ｉモードサービス７等により切符予約サービス７１で携帯通信端末７３’に切符を購入して駅構内に入場しようとした場合、物理的切符を所持していないことが理由となって構内に入ることができない。したがって、駅構内に入場するときには、切符予約サービス７１で入手した切符のデータを出札機で物理的切符に変換することが必要である。これを改善するには、携帯電話機７３の表示器に表示された切符の表示内容を読み込むスキャナなどを自動改札機に設けることによって、対応することが考えられるが、このようなスキャナなどが設置されていない今現在、携帯電話機７３’に切符を示すデータが格納されていても改札を通過することができない。
【００１７】
今後、携帯切符等のサービス機能が普及しても、駅のサービスネットワークと携帯電話機サービスネットワークがそれぞれ独立していて連係して運用することができない、自動改札システムなどのインフラ整備が遅れている状態では、このようなサービスを提供することができない。
【００１８】
このように、従来の自動改札システムにおいては、作業効率向上や経費削減等から自動改札機化が図られており、通常の駅員詰所兼監視所兼精算所には２〜３人の駅員しか常駐していないことが多いことから、物理的な切符に代わる携帯電話機に設定した仮想的な切符（以下、携帯切符という）が普及しても、画面確認の為だけに駅員を増員する等の対応は考えられない。また仮に駅員増員が図られたとしても、朝夕のラッシュ時等には携帯電話機の種類の多さと表示部への切符表示方法、表示の濃淡や利用者の提示の仕方等もさまざまで、なお且つ切符として手元に残らないものを、一瞬で見極め、良し悪しを判断することはほぼ不可能である。
【００１９】
【発明が解決しようとする課題】
本発明は、上記自動改札システムにおいて、Ｂｌｕｅｔｏｏｔｈのような簡易な通信システムを介して、仮想切符情報を有する携帯電話機（携帯通信端末）と仮想切符情報の内容を判断することができる自動改札装置との間で、切符の情報のデータを交換することができる自動改札システムを提供することを目的とする。
【００２０】
【課題を解決するための手段】
上記課題を解決するために、本発明は、自動改札機を通る際に、自動改札機と、携帯切符情報（仮想的切符情報）を持った携帯電話機やＰＨＳ、ＰＤＡ（携帯情報端末）などの携帯通信端末間で、無線通信により切符情報を受け渡して、切符情報を確認するようにした。
【００２１】
上記課題を解決するために、本発明は、切符の情報を読み取る複数の構内改札システムと、該複数の構内改札システムを統括管理する統括管理装置とを、通信ネットワークを介して連係するとともに、切符予約サービスシステムを含むインターネットサービスを前記通信ネットワークに接続しており、切符の情報を電子データ（切符データ）として格納して仮想切符とした携帯通信端末を用いる自動改札システムにおいて、（１）前記構内改札システムを、切符情報の内容の正しさを検査する切符情報検査部と前記携帯通信端末との間で切符情報を送受信する通信手段とを有する複数の自動改札装置と、該構内の複数の自動改札装置を管理する管理装置とから構成し、（２）前記切符予約サービスシステムを、インターネットサービスを介して前記携帯通信端末との間で切符情報を送受信し、前記携帯通信端末との間で受け渡した切符情報を前記通信ネットワークを介して前記統括管理装置へ通知するシステムとし、（３）前記携帯通信端末に、前記切符予約サービスシステムとの間で通信する機能と、前記自動改札装置との間で通信する機能とを備え、前記切符予約サービスシステムから切符予約情報を受信すると切符データを格納して仮想切符とし、（４）前記自動改札装置は利用者の接近を検出するセンサを備えており、当該自動改札装置の前記センサが作動して当該自動改札装置がその無線通信手段により前記携帯通信端末に対して仮想切符情報の呼び出しを行なうと、前記切符予約サービスシステムから切符情報を電子データとして取得した前記携帯通信端末が、前記自動改札装置との間で通信することによって、前記携帯通信端末は、予め前記切符予約サービスシステムから切符情報を含む仮想切符を受信して格納している場合には、当該携帯通信端末のＩＤを含む仮想切符情報を前記自動改札装置に送信し、切符の予約をしていない場合には、切符情報を空にした当該携帯通信端末のＩＤを含む切符データを前記自動改札装置に送信して、前記携帯通信端末から切符データを受信した前記自動改札装置は、前記統括管理装置から受信した情報と当該携帯通信端末のＩＤに基づいて資格検証を行い、資格を有している場合には通過可能とし、前記切符情報が空であれば切符情報を作成して前記携帯通信端末および前記統括管理装置に送信して、自動改札装置を通過可能とした。
【００２２】
本発明は、上記自動改札システムにおいて、構内改札システムを構成する自動改札装置の切符情報検出手段が、Ｂｌｕｅｔｏｏｔｈ等による無線通信によって得た切符情報または切符投入口に投入された物理的な切符から得た切符情報の内容の正しさを検査する手段を備えた。
【００２３】
本発明は、上記自動改札システムにおいて、携帯通信端末が、Ｂｌｕｅｔｏｏｔｈ等の無線通信手段を備えた携帯電話機やＰＨＳ、ＰＤＡ（携帯情報端末）等であり、自動改札装置との間で、Ｂｌｕｅｔｏｏｔｈ等による無線通信を行う携帯通信端末とした。
【００２４】
本発明は、上記自動改札システムにおいて、切符情報を、少なくとも構内改札システムまたは携帯通信端末のいずれかに保持するようにした。
【００２５】
上記課題を解決するために、本発明は、段落００２１に記載したとおりの切符の情報を読み取る複数の構内改札システムと、該複数の構内改札システムを統括管理する統括管理装置とを、通信ネットワークを介して連係するとともに切符予約サービスシステムを含むインターネットサービスを前記通信ネットワークに接続しており、切符の情報を電子データ（切符データ）として格納して仮想切符とした携帯通信端末を用いる自動改札システムを構成する自動改札装置において、物理的切符から切符情報を読み取る切符情報読取手段と、当該自動改札システムを構成する携帯通信端末との間で切符情報および／または携帯通信端末ＩＤを送受信する通信手段と、仮想切符情報に含まれる切符情報および／または携帯通信端末ＩＤの内容の正しさを検査する切符情報監査手段と、読み取った切符情報を表示する表示手段と、切符情報および／または携帯通信端末ＩＤの内容が正しいときに通行を可能とする自動改札機通行閉鎖手段とを備えた。
【００２６】
本発明は、前記通信手段を、Ｂｌｕｅｔｏｏｔｈ等の無線通信手段とした。Ｂｌｕｅｔｏｏｔｈとは、モバイル端末やパソコン、プリンタなどの周辺機器を無線で繋ぐための新しい無線通信規格であり、小規模、省電力、安価なネットワーク構成が可能で、ノイズに強く盗聴しにくい特徴があり、さらに世界共通規格であるので誰でも手軽に使用することができる無線通信手段である。
【００２７】
Ｂｌｕｅｔｏｏｔｈ仕様を採用した場合、自動改札機側がマスターで、携帯切符を持つ利用者の携帯電話機やＰＨＳ、ＰＤＡ（携帯情報端末）をスレーブ端末とし、自動改札機マスターと携帯切符を持つ利用者の携帯電話機スレーブが交信を行い切符購入者かどうかのチェックを行う。これにより自動改札機でも、携帯電話機やＰＨＳ、ＰＤＡ（携帯情報端末）の切符情報である画面確認ができなくても改札機を通過することを可能にする。マスターとスレーブの関係は自動改札機側がスレーブで、携帯電話機やＰＨＳ、ＰＤＡ側がマスターであってもよい。
【００２８】
【作用】
本発明によれば、券売機あるいはみどりの窓口等に出かけて物理的切符を買わなくても、乗車の為の切符を持たなくても、財布を持たなくても、予期しない緊急事態が発生しても、電車を利用できる作用があり、さらに行き先変更、乗車時間変更等が応じても臨機応変に且つ容易に対応できる作用がある。また、駅員の増員等も不要であるうえ、データも一元的に管理できるので、不正乗車等の防止も図ることが出来、利便性、汎用性、経済性、利用者サービスの向上において作用がある。
【００２９】
利用者においては、行き先変更や指定乗車時間変更等が応じても切符の買い替え等の制約から解放されることを可能にする。また、従来通りの物理的切符購入者は今までと同じ改札通過方法をとることが可能である。
【００３０】
下車時、下車用自動改札機マスターを通過する際、再度Ｂｌｕｅｔｏｏｔｈによる利用者側スレーブと交信を行い、適正乗車区間かをチェックする。不正の場合自動改札機が閉じるか、または口座より精算分が引き落としされる。口座からの引き落としは、携帯端末からの指示による引き落としや契約等の手段により行う。指定席購入者に対しては、車両にＢｌｕｅｔｏｏｔｈ無線機器を設置して、それとの通信を行うことにより指定場所か指定席未購入者かチェックされ、未購入者の場合下車時精算、または口座より精算分が引き落としされる手法を採用する。
【００３１】
口座からの引き落としは、携帯端末からの指示による引き落としや、自動引き落とし契約等の手法によって行う。乗車切符がなくかつ口座に残金がない場合は、自動改札機が閉じ駅構内から出ることができないなど、運用者の設定や判断による。
【００３２】
下車自動改札機の表示部には乗車区間と料金が表示される。また下車自動改札機を出た際、携帯電話機の表示部にも乗車区間、料金、乗車時間、必要によっては口座残金等が表示され、且つ記録としても残り、請求書との照合が可能である。記録を消す／残すは利用者が選択設定を可能にする。
【００３３】
電車内では、車掌が携帯する座席予約及び着座状況確認端末がＢｌｕｅｔｏｏｔｈマスターとして動作し、携帯切符がスレーブとして動作することにより、利用者の指定席の場所が正しいか、切符が有るか無いかが分かり、移動中の電車内で検札のために睡眠を妨害されたり、バックの中や荷物の中の切符を慌てて探すこともなくなり、顧客サービスが向上する。マスター、スレーブの関係は車掌が携帯する座席予約及び着座状況確認端末がスレーブで携帯切符がマスターでもよい。
【００３４】
携帯端末を持たない利用者、或いは通信手段をもたない携帯端末や携帯端末の電源を切っている利用者は従来どおり車掌の検札を受けることになる。
【００３５】
車両設置Ｂｌｕｅｔｏｏｔｈ無線機器と車掌が携帯するＢｌｕｅｔｏｏｔｈ無線機器の座席予約及び座席状況確認端末間でもデータ管理が行われているため、車掌は各車両に行かなくても利用者の状況確認を行うことができる。切符の代理購入を行い購入依頼者に渡す場合においては、Ｂｌｕｅｔｏｏｔｈあるいはインターネットアクセスにより転送する。その際切符情報のみを転送するのか、切符情報と料金請求も含めて転送するのか、料金請求のみを転送するのか選択できる。受信側では転送内容を拒否することができる。転送終了後切符の代理購入者の切符情報は無効となり、受信側で転送拒否した場合においても切符情報は無効となる。Ｂｌｕｅｔｏｏｔｈネットとｉモードなどの切符情報ネットはお互い接続され、データが共有化されており一元的に情報が管理されているため、利用者の変更等には柔軟に且つ即時対応を可能にする。
【００３６】
自動改札機を通る際に自動改札機と携帯切符を持った携帯電話機（やＰＨＳ、ＰＤＡ：以降携帯電話機で説明する。）間でＢｌｕｅｔｏｏｔｈを使った無線通信を一例に以下のような確認を行う。
【００３７】
駅構内に入る為の自動改札機側では、携帯切符の有無、行き先、切符料金、指定席やグリーン席利用予約の確認有無、改札機通過時刻等をチェックする。また下車して駅構内から出るための自動改札機では、携帯切符の有無、行き先、切符料金、指定席やグリーン席予約の確認の有無、改札機通過時刻等のほかに、適正乗車区間か行き先変更履歴はどうか、料金の正常性、口座残高をチェックする等の手段で解決する。または、口座より精算分が引き落とし確認でき、ある程度の口座残金の有無が確認できれば通過できてもよい等、これらはシステムの構成により、チェック項目を選択可能にすることにより解決を図る。
【００３８】
さらに出発時間が近づいた場合や、下車時間が近づいた場合等携帯切符携帯電話機のバイブレータ起動や、音声または画面表示などにより利用者に知らせることもできるため、今まで以上のきめ細かいサービス提供が可能になり、利用者はそれを選択し快適な駅利用や電車の利用ができる作用がある。
【００３９】
【発明の実施の形態】
本発明にかかる自動改札システムの構成の実施例を、駅を例にとって図１〜図３及び表１を用いて説明する。
【００４０】
図１に示すように、本発明にかかる自動改札システムは、複数の構内改札システム１を、ＷＡＮや専用線などの通信ネットワーク５を介して統括装置３に接続するとともに、切符予約サービスシステムを含むインタネットサービス７を、ＷＡＮなどの通信回線５１を介して前記通信ネットワーク５に接続して構成される。
【００４１】
構内改札システム１は、駅管理装置１１と、複数の自動改札装置１３を、通信ネットワーク１５を介して接続して構成される。各自動改札装置１３にはＢｌｕｅｔｏｏｔｈ等の無線通信機能が付加されている。
【００４２】
インターネットサービス７は、切符予約サービスなどの各種サービス７１と、これら各種サービス７１と専用ネットワーク７４を介して接続されたプロバイダ７２と、プロバイダ７２と無線で接続された携帯通信端末７３とから構成される。
【００４３】
本発明にかかる自動改札システムは、ＷＡＮや専用線等による駅間の通信ネットワーク５と、ｉモードサービス等による携帯電話機用サービスネットワーク７が、ＷＡＮ５１や専用線等により接続されることで、統括管理装置３が、双方のデータを共有し必要なデータを編集することができる。携帯電話機７３にはＢｌｕｅｔｏｏｔｈ等の無線通信機能が付加されていて、従来と同じにｉモードを含むインターネットサービス７等により切符予約サービス７１を利用することができる上、Ｂｌｕｅｔｏｏｔｈ等により無線通信が提供するサービスも利用することが可能となっている。
【００４４】
従来の携帯電話機７３’では、切符予約サービスで入手した切符情報を携帯通信端末内に電子データとして所有する仮想電子切符（以下、携帯切符という）を駅の自動改札システムで直接利用することができなかったが、図１に示す自動改札システムの構成をとることにより、携帯切符を自動改札システムで利用することが可能になる。
【００４５】
図２を用いて、本発明にかかるＢｌｕｅｔｏｏｔｈを用いた自動改札システムを構成する構内改札システム１の構成を説明する。
【００４６】
本発明の構内改札システム１は、駅管理装置１１と、複数の自動改札装置１３とをＬＡＮ１５や専用線で接続して構成される。
【００４７】
駅管理装置１１は、切符情報検査部１３３の内容により従来のデータ書き込みやチェックと携帯切符情報の処理を行うデータ書込／チェック／携帯切符情報制御装置１１１と、駅員詰所兼監視所兼精算所１１２を備えて構成される。
【００４８】
データ書込／チェック／携帯切符情報制御装置１１１は、切符情報検査部１３３から送られてきた切符情報の検査結果の内容により切符に対してデータ書込みを行うとともに、Ｂｌｕｅｔｏｏｔｈ送受信部１３６から送られてきた携帯切符情報の検査結果の内容により携帯切符に対してデータの書込みを行う。
【００４９】
駅員詰所兼監視所兼精算所１１２は、不足する金額などの精算を行う手段である。
【００５０】
自動改札装置１３は、人の接近または進入を検出するセンサー１３０、切符投入口１３１、切符受取部１３２、機能変更した切符情報検査部１３３、自動改札機通行閉鎖板１３４、表示盤１３５、新たに盛り込まれるＢｌｕｅｔｏｏｔｈ送受信部１３６を備えて構成される。自動改札装置１３が複数台設置されて自動改札口を構成している。
【００５１】
センサー１３０は、自動改札装置１３に人が近接または進入したことを検出して、検出結果を切符情報検査部１３３やＢｌｕｅｔｏｏｔｈ送受信部１３６へ通知する。
【００５２】
切符投入口１３１は、投入された切符を切符情報検査部１３３へ案内する手段であり、切符情報を検査中に他の切符が投入されないように制御する働きをも有している。
【００５３】
切符取出口１３２は、切符情報検査部１３３を通過した切符を取り出す手段である。
【００５４】
切符情報検査部１３３は、物理的切符に記憶された乗車駅、下車駅、有効期限などの切符情報を取得し、取得した切符情報またはＢｌｕｅｔｏｏｔｈ送受信部１３６で取得した携帯切符情報と、この自動改札装置が設置されている駅、日時、通過時刻等の必要項目を比較・検査して、切符が有効または正しいか検査し、正しいときには、自動改札機通行閉鎖板１３４の閉鎖を停止するよう指示し、切符が無効または正しくないときには、自動改札機通行閉鎖板１３４の閉鎖を指示する。
【００５５】
表示盤１３５は、切符情報検査部１３３などで取得した切符情報などを表示する手段である。
【００５６】
Ｂｌｕｅｔｏｏｔｈ送受信部１３６は、携帯通信端末７３のＢｌｕｅｔｏｏｔｈ送受信部と通信して、携帯切符情報を取得したり、携帯通信端末７３にデータや指示を送信する手段である。
【００５７】
Ｂｌｕｅｔｏｏｔｈ機能を持った携帯電話機７３は、携帯通信端末としての機能に併せて、さらに、Ｂｌｕｅｔｏｏｔｈ送受信機能部７３１と、携帯切符情報その他の情報を格納するデータ格納部７３２と、携帯切符情報表示部７３３により構成される。
【００５８】
これらの動作を機能毎に詳細に説明する。
【００５９】
携帯電話機７３から駅構内に限らず、切符の必要性が発生した時点で、様々な企業が提供する電話のアプリケーションサービス（例えばＮＴＴＤｏＣｏＭｏが９９年２月に始めた、携帯電話機を対象にした文字情報サービスのｉモード）により切符を入手する。携帯電話機７３の記憶部には乗車駅、下車駅、乗車運賃、特急料金、出発時間、指定予約の有無、グリーン予約有無、禁煙喫煙指定の有無、購入年月日時刻、有効期限等を記憶するエリアを設け必要情報が記憶される。
【００６０】
これらの切符情報は、同時に、ｉモード等による携帯電話機サービス専用ネットワーク７から、ＷＡＮや専用線等の通信手段５１により接続されたＷＡＮや専用線等による駅間の通信ネットワーク５を介して、統括管理装置３内に携帯切符情報として取り込まれる。
【００６１】
まず、携帯切符（携帯電話機）７３を持って乗車する場合、自動改札装置１３のセンサー１３０で人の通過を確認すると、切符投入口１３１に切符投入が有ったか否かの判断と、Ｂｌｕｅｔｏｏｔｈ送受信機１３６と携帯切符７３との間の無線送受信による応答の有無を判断し、切符を投入した人が、Ｂｌｕｅｔｏｏｔｈによる送受信可能携帯電話機７３の所有者か否かを判断する。
【００６２】
切符を投入した人が、Ｂｌｕｅｔｏｏｔｈによる送受信可能携帯電話機７３の所有者である場合、自動改札装置１３側がマスター、携帯電話機７３側がスレーブモードになり応答がある場合、切符情報検査部１３３は、乗車駅、下車駅、乗車運賃、特急料金、出発時間、指定予約の有無、グリーン予約有無、禁煙喫煙指定の有無、購入年月日時刻、有効期限等の必要な携帯切符情報を吸い上げ、制御装置１１１内の携帯切符情報と照合し、必要な切符情報が適正と判断されると、通過を可能とする。
【００６３】
照合の結果、切符情報が不適正である場合には、自動改札システムが持つ携帯電話機７３の情報とチェックを行うことも可能であり、この態様は、システム運用者が運用時に選択設定する。
【００６４】
図３を用いて、本発明にかかる自動改札装置１３の切符情報検査部１３３の構成および切符情報検査機能の概要を説明する。自動改札装置１３の切符情報検査部１３３は、切符情報や設定を変更する為一時的読み書きするワーク用ＲＡＭ部１３３１、切符データチェック部を制御するＣＰＵ部１３３２、動作パターンやチェックパターンを格納するＲＯＭ部１３３３、交信記録、通過記録を取る為の時計部１３３４、駅管理装置１１やＷＡＮや専用線等ネットワークと接続する為のネットワークインタフェース部１３３５、表示盤１３５への表示制御をおこなう周辺集出力制御部１３３６を、バス１３３７で接続して構成されている。
【００６５】
さらに、切符情報検査部１３３は、バス１３３７を介して、人の出入りをチェックするセンサー１３０と、無線信号の送受信及び変復調を行うＢｌｕｅｔｏｏｔｈＲＦ部１３６１およびＲＦ部からの信号を解析し各動作モードへの遷移を制御するＢｌｕｅｔｏｏｔｈベースバンド部１３６２を有するＢｌｕｅｔｏｏｔｈ送受信部１３６へ接続される。
【００６６】
Ｂｌｕｅｒｔｏｏｔｈ送受信部１３６は、ＢｌｕｅｔｏｏｔｈＲＦ部１３６１と、Ｂｌｕｅｔｏｏｔｈベースバンド部１３６２とを有して構成される。
【００６７】
以下、携帯通信端末に切符を予約した場合のこの自動改札システムにおける処理の態様を、図４を用いて説明する。利用者は、携帯通信端末７３を切符予約サービス７１へ接続して切符予約処理を行う（Ｓ１）。予約センタ７１は、切符情報を含む予約済情報１を、携帯通信端末７３へ送信する（Ｓ２）とともに、通信ネットワーク５を介して統括管理装置３へ送信する（Ｓ３）。
【００６８】
予約済情報１を受信した携帯通信端末７３はデータ格納部７３内に切符データを格納して、仮想切符とする（Ｓ４）。
【００６９】
編集予約済情報１を受信した統括管理装置３は、切符データを格納管理するとともに、自動改札装置１３に必要な切符情報を編集して編集予約済情報２を作成し（Ｓ５）、自動改札装置１３へ送信する（Ｓ６）。
【００７０】
仮想切符を所持した利用者が駅構内に入場しようとして自動改札装置１３に近づくと（Ｓ７）、人の接近を検出した自動改札装置１３のセンサ１３０が起動して、Ｂｌｕｅｔｏｏｔｈ送受信部１３６を起動する（Ｓ８）。Ｂｌｕｅｔｏｏｔｈ送受信部１３６が、マスターとして携帯通信端末７３を呼び出すと（Ｓ９）、携帯通信端末７３が応答を返す（Ｓ１０）。Ｂｌｕｅｔｏｏｔｈ送受信部１３６が、携帯通信端末７３に対して仮想切符情報を呼び出す（Ｓ１１）と、携帯通信端末７３は、自己のＩＤを含む切符データ（仮想切符情報）を送出する（Ｓ１２）。
【００７１】
自動改札装置１３は、既に取得している編集予約済情報２を用いて、受信した仮想切符情報の資格を検証し（Ｓ１３）、資格検証結果を表わす資格検証情報を統括管理装置３へ送信する（Ｓ１４）。
【００７２】
統括管理装置３は、当該仮想切符が構内に入場したことを知って切符データを更新する（Ｓ１５）。
【００７３】
自動改札装置１３は、ステップＳ１３の資格検証の結果精算が必要な場合には、精算額を演算し（Ｓ１６）、精算額を表示盤１３５に表示して（Ｓ１７）、通行閉鎖板１３４を制御して仮想切符所持者の入場を容認する（Ｓ１８）。自動改札装置１３は、精算情報を、携帯通信端末７３および統括管理装置３へ通知する（Ｓ１９）。
【００７４】
精算情報を取得した統括管理装置３は、最終切符データを作成し、保管する（Ｓ２０）。
【００７５】
このようにして、切符を予約した携帯通信端末７３を所持した利用者は、物理的な切符を所持することなく自動改札装置１３を通過することができる。駅構内から出場する場合もステップＳ７以降の処理によって自動改札装置１３を通過することができる。
【００７６】
図５を用いて、切符を予約しない携帯通信端末を所持した利用者が自動改札装置を通過する場合の処理を説明する。携帯通信端末７３を所持した利用者が駅構内に入場しようとして自動改札装置１３に近づくと（Ｓ３１）、人の接近を検出した自動改札装置１３のセンサ１３０が起動して、Ｂｌｕｅｔｏｏｔｈ送受信部１３６を起動する（Ｓ３２）。Ｂｌｕｅｔｏｏｔｈ送受信部１３６が、マスターとして携帯通信端末７３を呼び出すと（Ｓ３３）、携帯通信端末７３が応答を返す（Ｓ３４）。Ｂｌｕｅｔｏｏｔｈ送受信部１３６が、携帯通信端末７３に対して仮想切符情報を呼び出す（Ｓ３５）。携帯通信端末７３は、切符を約していないので、切符情報を空にした自己のＩＤを搭載した切符データを送出する（Ｓ３６）。
【００７７】
自動改札装置１３は、切符データなしを検出すると（Ｓ３７）、携帯通信端末７３のＩＤを用いて、当該携帯通信端末の資格データを統括管理装置３へ要求する（Ｓ３８）。
【００７８】
統括管理装置３は、当該携帯通信端末ＩＤを用いて得た資格データを自動改札装置１３へ送信する（Ｓ３９）。
【００７９】
資格データを受信した自動改札装置１３は、該データを用いて携帯通信端末７３の資格を検証し（Ｓ４０）、携帯通信端末７３が資格を有している場合には、乗車駅、通過改札口、通過時間、初乗金額などの切符データを作成し（Ｓ４１）、携帯通信端末のＩＤとともに携帯通信端末７３および統括管理装置３へ送出する（Ｓ４２）。
【００８０】
携帯通信端末７３は、受信した切符データを格納して仮想切符として働く（Ｓ４３）。
【００８１】
統括管理装置３は、受信した切符データを格納して管理する（Ｓ４４）。
【００８２】
自動改札装置１３は、作成した切符データに基づいて、精算額（初乗り料金）を計算し（Ｓ４５）、表示盤１３５に精算額を表示し（Ｓ４６）、通行閉鎖板１３４を制御して仮想切符を所有した利用者の通過を容認する（Ｓ４７）。
【００８３】
自動改札装置１３は、精算情報を、携帯通信端末７３および統括管理装置３へ通知する（Ｓ４８）。
【００８４】
精算情報を取得した統括管理装置３は、最終切符データを作成し、保管する（Ｓ４９）。
【００８５】
以下、携帯通信端末に予約した切符データを変更する場合の処理の態様を、図６を用いて説明する。利用者は、携帯通信端末７３を切符予約サービス７１へ接続して切符予約処理を行う（Ｓ５１）。予約センタ７１は、切符情報を含む予約済情報１を、携帯通信端末７３へ送信する（Ｓ５２）とともに、通信ネットワーク５を介して統括管理装置３へ送信する（Ｓ５３）。
【００８６】
予約済情報１を受信した携帯通信端末７３は、データ格納部７３内に切符データを格納して、仮想切符とする（Ｓ５４）。
【００８７】
編集予約済情報１を受信した統括管理装置３は、切符データを格納管理するとともに、自動改札装置１３に必要な切符情報を編集して編集予約済情報２を作成し（Ｓ５５）、自動改札装置１３へ送信する（Ｓ５６）。
【００８８】
（変更予約例１）自動改札装置１３を通過する前に切符予約サービス７１を利用して予約した切符データを変更しようとする利用者は、携帯通信端末７３を切符予約サービス７１へ接続して予約データ変更処理を行う（Ｓ５７）。予約センタ７１は、変更された切符情報を含む変更予約済情報１を作成して、携帯通信端末７３へ送信する（Ｓ５８）とともに、通信ネットワーク５を介して統括管理装置３へ送信する（Ｓ５９）。
【００８９】
変更予約済情報１を受信した携帯通信端末７３は、データ格納部７３内に格納された切符データを更新して新たな、仮想切符とする（Ｓ６０）。
【００９０】
変更予約済情報１を受信した統括管理装置３は、既に格納管理している切符データを更新するとともに、更新された切符データに基づいて自動改札装置１３に必要な切符情報を編集して変更予約済情報２を作成し（Ｓ６１）、自動改札装置１３へ送信する（Ｓ６２）。
【００９１】
（変更予約例２）自動改札装置１３を通過する前に、駅構内他サービスのＢｌｕｅｔｏｏｔｈなどによる無線通信を利用して切符データを変更しようとする利用者は、携帯通信端末７３を統括管理装置３へ接続して、統括管理装置３に対して予約データ変更処理を実行する（Ｓ６３）。
【００９２】
携帯通信端末７３から予約データ変更を受けた統括管理装置３は、変更情報を携帯通信端末７３に送信する（Ｓ６４）とともに、切符データを更新する（Ｓ６５）。
【００９３】
統括管理装置３から変更情報を受けた携帯通信端末７３は、切符データを更新する（Ｓ６６）。
【００９４】
更新された仮想切符を所持した利用者が駅構内に入場しようとして自動改札装置１３に近づくと（Ｓ６８）、人の接近を検出した自動改札装置１３のセンサ１３０が起動して、Ｂｌｕｅｔｏｏｔｈ送受信部１３６を起動する（Ｓ６９）。Ｂｌｕｅｔｏｏｔｈ送受信部１３６が、マスターとして携帯通信端末７３を呼び出すと（Ｓ７０）、携帯通信端末７３が応答を返す（Ｓ７１）。Ｂｌｕｅｔｏｏｔｈ送受信部１３６が、携帯通信端末７３に対して更新された仮想切符情報を呼び出す（Ｓ７２）と、携帯通信端末７３は、自己のＩＤを含む切符データ（仮想切符情報）を送出する（Ｓ７３）。
【００９５】
自動改札装置１３は、既に取得している編集予約済情報２を用いて、受信した仮想切符情報の資格を検証し（Ｓ７４）、資格検証結果を表わす資格検証情報を統括管理装置３へ送信する（Ｓ７５）。
【００９６】
統括管理装置３は、当該仮想切符が構内に入場したことを知って切符データを更新する（Ｓ７６）。
【００９７】
（変更予約例３）自動改札装置１３を通過後、切符予約サービス７１を利用して切符データを変更する場合、携帯通信端末７３は、切符予約サービス７１に接続して予約データ変更処理を実行する（Ｓ７７）。
【００９８】
切符予約サービス７１は、予約データを変更する変更情報を、携帯通信端末７３へ送信する（Ｓ７８）。さらに、切符予約サービス７１は、変更予約済情報１を作成して統括管理装置３に通知する（Ｓ７９）。
【００９９】
変更情報を受信した携帯通信端末７３は、切符データを更新する（Ｓ８０）。
【０１００】
変更予約済情報１を受けた統括管理装置３は、切符データを更新して変更予約済情報２を作成し（Ｓ８１）、自動改札装置１３へ通知する（８２）。
【０１０１】
（変更予約例４）自動改札装置１３を通過後、駅構内他サービスのＢｌｕｅｔｏｏｔｈ等による無線通信を利用して切符データを変更する場合、携帯通信端末７３は、統括管理装置３へ予約データ変更を通知し（Ｓ８３）、統括管理装置３は、変更情報を返送する（Ｓ８４）。携帯通信端末７３は、切符データを更新する（Ｓ８５）。統括管理装置３は、切符データを更新し（Ｓ８５）、変更情報を自動改札装置１３へ通知する（Ｓ８７）。
【０１０２】
自動改札装置１３は、ステップＳ７４の資格検証および切符データ更新（Ｓ８１、Ｓ８６）後の変更予約情報２（Ｓ８２）、変更情報の結果、精算が必要な場合には、精算額を演算し（Ｓ８８）、精算額を表示盤１３５に表示して（Ｓ８９）、通行閉鎖板１３４を制御して仮想切符所持者の入場を容認する（Ｓ９０）。自動改札装置１３は、精算情報を、携帯通信端末７３および統括管理装置３へ通知する（Ｓ９１）。
【０１０３】
精算情報を取得した統括管理装置３は、最終切符データを作成し、保管する（Ｓ９２）。
【０１０４】
図７を用いて、自動改札システムから携帯通信端末を用いてその他のサービスを享受する場合の処理を説明する。統括管理装置３は、切符データを管理しており（Ｓ１０１）、携帯通信端末７３は、切符データを所持している（Ｓ１０２）。
【０１０５】
携帯通信端末７３は、通信ネットワーク５を介して統括管理装置１に対してサービス登録を要求する（Ｓ１０３）。統括管理装置３は、携帯通信端末７３へ随時サービス提供する旨を通知する（Ｓ１０４）。
【０１０６】
携帯通信端末７３が、サービスを受けるために自動改札装置３へ接近すると（Ｓ１０５）、自動改札装置１３のセンサ１３０が接近を検出してＢｌｕｅｔｏｏｔｈ送受信部１３６を起動する（Ｓ１０６）。
【０１０７】
自動改札装置１３のＢｌｕｅｔｏｏｔｈ送受信部１３６は、マスターとして携帯通信端末７３を呼出し（Ｓ１０７）、携帯通信端末７３は、スレーブとして応答を返す（Ｓ１０８）。Ｂｌｕｅｔｏｏｔｈ送受信部１３６が、携帯通信端末７３へ切符データの読出しをかけ（Ｓ１０９）、携帯通信端末７３は、切符データをＢｌｕｅｔｏｏｔｈ送受信部１３６へ送出する（Ｓ１１０）。
【０１０８】
自動改札装置１３は、既に取得している編集予約済情報２を用いて、受信した仮想切符情報の資格を検証し（Ｓ１１１）、資格検証結果を表わす資格検証情報を統括管理装置３へ送信する（Ｓ１１２）。
【０１０９】
統括管理装置３は、当該仮想切符が構内に入場したことを知って切符データを更新する（Ｓ１１３）。
【０１１０】
自動改札装置１３は、ステップＳ１１１の資格検証の結果精算が必要な場合には、精算額を演算し（Ｓ１１５）、精算額を表示盤１３５に表示して（Ｓ１１６）、通行閉鎖板１３４を制御して仮想切符所持者の入場を容認する（Ｓ１１７）。自動改札装置１３は、精算情報を、携帯通信端末７３および統括管理装置３へ通知する（Ｓ１１８）。
【０１１１】
精算情報を取得した統括管理装置３は、最終切符データを作成し（Ｓ１１９）、携帯通信端末７３へ随時サービスを提供する（Ｓ１２０）。
【０１１２】
図８を用いて、車輛内での座席指定サービスの処理を説明する。この例では、自動改札システムは、車両内に、通信ネットワーク５を介して統括管理装置３と通信する機能とＢｌｕｅｔｏｏｔｈ通信を介して車掌端末９２や携帯通信端末７３と通信する機能を有する車両端末９１を設けるとともに、Ｂｉｕｅｔｏｏｔｈ通信機能を有する車掌端末９２とを設けて構成される。
【０１１３】
統括管理装置３は、携帯通信端末７３が保持している座席指定などの切符データを保持している（Ｓ１３１）。携帯通信端末７３は、切符予約サービスから取得した座席指定などの切符データを保持している（Ｓ１３２）。
【０１１４】
統括管理装置３は、車両端末９１に対して通信ネットワーク５を介して座席指定情報などの切符データ情報を通知する（Ｓ１３３）。切符データ情報を受信した車両端末９１は、切符データ情報を、Ｂｌｕｅｔｏｏｔｈ送受信部を介して車掌端末９２へ転送する（Ｓ１３４）。
【０１１５】
指定車両に乗車した利用者の携帯通信端末７３がマスターとなって、自己のＩＤや座席指定情報などからなる乗車情報を、車両端末９１へ通知する（Ｓ１３５）とともに、車掌端末９２へ通知する（Ｓ１３６）。
【０１１６】
乗車情報を受けた車両端末９１は、乗車情報を、車掌端末９２へ転送する（Ｓ１３７）。
【０１１７】
車掌端末９２は、既に受取った切符データ情報と、携帯端末７３または車両端末９１から受信した乗車情報に基づいて、携帯通信端末の資格を検証する（Ｓ１３８）。車掌端末９２は、検証の結果である資格検証情報を携帯通信端末７３および車両端末９１へ通知する（Ｓ１３９）。車両端末９１は、資格検証情報を統括管理装置３へ転送する（Ｓ１４０）。
【０１１８】
携帯通信端末７３が所持する仮想切符情報が有効であるときには、車掌端末９２は、携帯通信端末７３へ指定席への着席を可とするサービスを提供する（Ｓ１４１）。または、統括管理装置３はサービス提供を車両端末９１へ通知し（１４２）、車両端末９１は、携帯通信端末７３へ指定席への着席を可とするサービスを提供する（Ｓ１４３）。
【０１１９】
このようにして、携帯通信端末７３に仮想切符を所持する利用者は、指定席に着席することができる。
【０１２０】
出札する場合においても、出札用自動改札機のセンサー１３０で人の通過を確認すると、切符投入口１３１に切符投入有無と、Ｂｌｕｅｔｏｏｔｈ４００無線送受信により応答有無を判断する。自動改札機側がマスター、携帯電話機側がスレーブモードになり応答がある場合、切符情報検査部１３３で乗車駅、下車駅、乗車運賃、特急料金、出発時間、指定予約の有無、グリーン予約の有無、禁煙喫煙指定の有無、購入年月日時刻、有効期限等必要携帯切符情報を吸い上げ制御装置内携帯切符情報と照合し。必要情報が適正と判断されると通過できる。不適正の場合自動改札機通行閉鎖板１３４が閉じ通過出来ない。又は口座より清算分が引き落としされる。口座からの引き落としは、端末からの指示による引き落としや、自動引き落とし等の手段をとる。
【０１２１】
乗車中に乗車区間変更等の変更があっても、再度電話のアプリケーションサービス（例えばＮＴＴＤｏＣｏＭｏがサービスするｉモード）を利用することにより対応可能で、統括管理装置３内携帯切符情報として反映され取り込まれる。また応用例として乗車中、駅構内での変更の場合は車両内のＢｌｕｅｔｏｏｔｈ及び駅構内Ｂｌｕｅｔｏｏｔｈによる無線サービスが可能となり、指定席購入者に対しては車両内のＢｌｕｅｔｏｏｔｈマスター機器と、車両シート内等に設置された位置情報機器があり、それらと通信を行うことにより携帯切符所有者指定場所か、指定席未購入者がチェックされる。指定席未購入者の場合下車時精算。または口座より精算分が引き落としされる。また、車掌が携帯する端末もＢｌｕｅｔｏｏｔｈマスターであり、利用者の指定席の場所が正しいか切符が有るか無いかが分かる。正しい切符の人は、移動中の電話内で検札のために切符を探したり、睡眠を妨害されたりすることもない。携帯を持たない、或いはＢｌｕｅｔｏｏｔｈ通信手段をもたない携帯、携帯の電源を切っている利用者は従来どおり検札を受けることになる。上記のごとく乗車中或いは、駅構内での利用は電話のアプリケーションサービス（例えばＮＴＴＤｏＣｏＭｏがサービスするｉモード）を利用しなくても、Ｂｌｕｅｔｏｏｔｈによる通信手段を用いて変更対応、予約対応等ができる。
【０１２２】
不正の場合自動改札機通行閉鎖板１３４が閉じる。または口座より精算分が引き落としされる。口座からの引き落としは、携帯電話機７３からの指示（１９９９年から開始したＮＴＴＤｏＣｏＭｏのｉモードなどの携帯電話機を使ったモバイル・バンキング・サービスや、契約クレジット会社による引き落としがある。）による引き落としや、予め契約による自動引き落とし等の手段をとる。乗車切符がなく、且つ口座に残金がない場合、自動改札機が閉じ電車に乗降車することはできない。これらの乗車区間料金情報等は、下車時自動改札装置１３の表示盤１３５部に表示される。また下車自動改札を出た際、携帯電話機７３の表示部７３３にも乗車区間、料金、乗車時間、必要によっては、口座残金等が表示される。これらの表示内容は携帯電話機にも記録として残り、請求書との照合が可能となる。記録を消す／残すは利用者が選択可能。Ｂｌｕｅｔｏｏｔｈネットと電車利用のための切符販売等のアプリケーションサービス（ＮＴＴＤｏＣｏＭｏがサービスするｉモード等）はネット上で接続され、一元的に情報管理が行われるため、各駅それぞれの自動改札システムのマスター同士はデータが共有化されている。携帯切符により切符購入や変更対応等が容易に行え、みどりの窓口や券売機まで出かけなくても、物理的切符を持たなくても、途中変更等があっても、駅利用に柔軟な対応が可能になる。
【０１２３】
携帯電話機７３に乗車駅、下車駅、乗車運賃、特急運賃、出発時間、指定予約の有無、グリーン予約有無、禁煙喫煙指定の有無、購入年月日時刻、有効期限等の情報を記録できない、或いは表示できない場合は、前記の通り利用者の電話番号（ＩＤ）で管理することも可能である。またアプリケーションサービスネット１２０でも、利用者の携帯番号（ＩＤ）に乗車駅、下車駅、乗車運賃、特急運賃、出発時間、指定予約の有無、グリーン予約の有無、禁煙喫煙指定の有無、購入年月日時刻、有効期限等の情報を付加し保持することが可能であり、統括管理情報１２０と情報の共有化が図られている。
【０１２４】
利用者はアプリケーションサービスネットにアクセスするか、Ｂｌｕｅｔｏｏｔｈネット内データベースをアクセスすることにより、利用者の携帯電話機番号（ＩＤ）に付加した乗車駅、下車駅、乗車運賃、特急料金、出発時間、指定予約の有無、グリーン予約の有無、禁煙喫煙指定の有無、購入年月日時刻、有効期限等の情報を検索しデータとしてまたは表示器上に画面として確認できる。自動改札システムのサービスとして、出発時間が近づいた場合や下車時間が近づいた場合等、利用者に携帯切符のバイブレータの起動や、音声または画面表示などにより知らせることも可能で有る。サービス機能の利用については利用者が選択できるため、今まで以上に快適な駅利用や電車の利用ができる。
【０１２５】
以上のように、本発明によれば、代金引き落とし済み等を判断でし、チケットレスでも切符レス（ペーパレスチケット）でも人手を介さずに入出場できる上、不正等がないことを容易に判断できることを特徴とする自動改札システム、例えば駅を利用する場合において、利用者が切符購入後の変更や乗車中の変更等が生じても、みどりの窓口や精算所で行うこともなく、融通性、利便性に優れた装置を提供することができる。
【０１２６】
改札前に乗車区間変更等の変更が有った場合、再度電話のアプリケーションサービス(例えばＮＴＴＤｏＣｏＭｏがサービスするｉモード)を利用することにより対応することが可能で、統括管理装置３内に携帯切符情報として反映され取込まれる。
【０１２７】
携帯切符は取り出さなくても、ポケットの中やかばんの中にあっても送受信が出来ることから、沢山の荷物があっても便利である。
【０１２８】
前記説明では、切符情報を携帯端末機７３と自動改札システムの双方で保持する例を説明したが、前記切符情報は、携帯電話機７３と、統括管理装置３を含む自動改札システムの両方に持つ必要はなく、自動改札システム側のみに持つことができる。この場合、自動改札システムが、利用者の携帯電話機７３の電話番号（ＩＤ）と切符の予約内容を対応付けて記憶することによって、利用者端末のメモリを無駄に使用すること無がなくなり、利用者端末からの問い合わせや表示要求にも即座に対応することも可能となる。
【０１２９】
以上説明した自動改札システムにおける、本発明の自動改札装置１３の記憶内容及びチェック項目を表１に、携帯通信端末７３の記憶内容を表２に、統括管理装置３の記憶内容及びチェック項目ならびにサービス項目を表３に示す。
【０１３０】
【表１】
0004763182.tif 000002
【０１３１】
【表２】
0004763182.tif 000003
【０１３２】
【表３】
0004763182.tif 000004
【０１３３】
【発明の効果】
本発明によれば、前記の如く本機能を利用しても、切符予約のために携帯電話機のサービス機能を低下することも、本来の通話目的のための情報エリアを無駄にすることも無い。
【０１３４】
また、本発明によれば、自動改札システムで携帯切符を利用する場合、表１に示す携帯電話機７３内に記憶する切符情報、自動改札装置１３の切符情報検査部１３３での記憶内容及びチェック内容、統括管理装置３での記憶内容及びチェック及びサービス項目について、運用状態により任意に設定することができ、最適化が図られる。
【図面の簡単な説明】
【図１】本発明にかかる自動改札システムの構成を説明する図
【図２】本発明の自動改札システムを構成する構内改札システムの構成を説明する図
【図３】本発明の自動改札システムを構成する構内改札システムのキップ情報検査部の内部構成を説明する図
【図４】本発明にかかる自動改札システムにおける処理を説明するフローチャート
【図５】本発明にかかる自動改札システムにおける処理を説明するフローチャート
【図６】本発明にかかる自動改札システムにおける処理を説明するフローチャート
【図７】本発明にかかる自動改札システムにおける処理を説明するフローチャート
【図８】本発明にかかる自動改札システムにおける処理を説明するフローチャート
【図９】従来の自動改札システムの構成を説明する図
【図１０】従来の自動改札システムを構成する構内改札システムの構成を説明する図
【符号の説明】
１  構内改札システム
１１  駅管理装置
１１１  データ書込／チェック／携帯切符情報制御装置
１１２  駅員詰所兼監視所兼精算所
１３  自動改札装置
１３１  切符投入口
１３２  切符取出部
１３３  切符情報検査部
１３４  自動改札機通行閉鎖板
１３５  表示盤
１３６  Ｂｌｕｅｔｏｏｔｈ送受信部
１５  ＬＡＮ
３  統括管理装置
５  通信ネットワーク
５１  ＬＡＮ
７  インターネットサービス
７１  切符予約サービス
７２  プロバイダ
７３  携帯通信端末（携帯電話機）
７３１  Ｂｌｕｅｔｏｏｔｈ送受信部
７３２  データ格納部
７３３  表示部
７４  専用ネットワーク
【図１】
0004763182.tif 000005
【図２】
0004763182.tif 000006
【図３】
0004763182.tif 000007
【図４】
0004763182.tif 000008
【図５】
0004763182.tif 000009
【図６】
0004763182.tif 000010
【図７】
0004763182.tif 000011
【図８】
0004763182.tif 000012
【図９】
0004763182.tif 000013
【図１０】
0004763182.tif 000014